(57)【要約】      （修正有）【課題】簡易な構造の封緘機構をキャップと一体化させ封緘を確実に行えるようにした合成樹脂製キャップを提供する。【解決手段】容器体口頸部外面へ嵌合させる周壁上面を、頂板外周から筒を垂下する蓋体で閉塞し、周壁の後部上端と短筒後部の下端とをヒンジ連結し、かつ短筒前部から開蓋用指掛け突条を前方突出させた合成樹脂製キャップにおいて、周壁２前部の上部外面へ、左右両部を剥離可能に接合させて第１弧状板19を、かつ指掛け突条17前面を覆う状態で該指掛け突条の左右両端部外方へ、左右両部を剥離可能に連結させて第２弧状板21を、それぞれ横設し、かつそれ等両弧状板を上下に重ねて離脱不能に接合させた。【選択図】図５
2006151476.tif 000002
【特許請求の範囲】
【請求項１】
容器体口頸部外面へ、直接ないし間接に嵌合させる周壁２上面を、頂板12外周から筒13を垂下する蓋体11で閉塞し、上記周壁後部と筒後部とをヒンジ16で連結すると共に筒13の前部から指掛け突条17を突出させたキャップにおいて、
上記周壁２前部の上部外面へ、左右両部を破断可能に連結させて第１弧状板19を、
かつ上記指掛け突条17前面を覆う状態で該指掛け突条の左右両端部外方へ、左右両部を破断可能に連結させて第２弧状板21を、
それぞれ横設し、
かつ第１弧状板上へ第２弧状板を重ねてこれ等両弧状板を離脱不能に接合させたことを特徴とする合成樹脂製キャップ。
【請求項２】
上記離脱不能に接合された両弧状板の少くとも一端部を、両弧状板破断用の摘み部20とした
ことを特徴とする請求項１記載の合成樹脂製キャップ。
【請求項３】
上記両弧状板19、21の接合を、第１弧状板19上面と第２弧状板21下面とを超音波接着で行ったことを特徴とする請求項１又は２記載の合成樹脂製キャップ。
【請求項４】
上記両弧状版の接合を、両弧状板に付設した係合手段の噛み合わせで行ったことを特徴とする請求項１又は２記載の合成樹脂製キャップ。                                  
【請求項５】
上記キャップの周壁２を、上記容器体口部を密閉する中栓外周壁４と一体成形したことを特徴とする請求項１、２、３、又は４記載の合成樹脂製キャップ。
【発明の詳細な説明】
【技術分野】
【０００１】
本発明は封緘機構付きの合成樹脂製キャップに関する。
【背景技術】
【０００２】
容器体口頸部外面へ嵌合させる周壁上面を頂板外周から筒を垂下する蓋体で閉塞し、上記周壁の後部上端と筒後部下端とをヒンジ連結すると共に、筒前部下端へ指掛け突条を横設して、該指掛け突条により上記ヒンジを中心として蓋体の開閉が可能となし、又上記指掛け突条下方の周壁部分へ縦板後面から後方突出させた棒状突起後端を剥離可能に接着させ、その縦板上端と上記指掛け突条前端部とを互いに噛合うフック状として、上記縦板を除去しなければ蓋体の開閉が不能とした合成樹脂製キャップが知られている（特許文献１）
【特許文献１】実公平８−２７５号公報
【発明の開示】
【発明が解決しようとする課題】
【０００３】
上記従来例は縦板を封緘体とするが該封緘体をキャップに対して別成形してキャップの周壁へ接着するためその成形に面倒があった。
【０００４】
本発明は、キャップ全体を一体成形でき、又その封緘を確実に行えるよう設けたものである。                                                                          
【課題を解決するための手段】
【０００５】
第１の手段として、容器体口頸部外面へ、直接ないし間接に嵌合させる周壁２上面を、頂板12外周から筒13を垂下する蓋体11で閉塞し、上記周壁後部と筒後部とをヒンジ16で連結すると共に筒13の前部から指掛け突条17を突出させたキャップにおいて、
上記周壁２前部の上部外面へ、左右両部を破断可能に連結させて第１弧状板19を、
かつ上記指掛け突条17前面を覆う状態で該指掛け突条の左右両端部外方へ、左右両部を破断可能に連結させて第２弧状板21を、
それぞれ横設し、
かつ第１弧状板上へ第２弧状板を重ねてこれ等両弧状板を離脱不能に接合させた。
【０００６】
第２の手段として、上記第１の手段を有し、かつ上記離脱不能に接合された両弧状板の少くとも一端部を、両弧状板破断用の摘み部20とした。
【０００７】
第３の手段として、上記第１又は第２の手段を有すると共に上記両弧状板19、21の接合を、第１弧状板19上面と第２弧状板21下面とを超音波接着で行った。
【０００８】
第４の手段として、上記第１又は第２の手段を有し、かつ上記両弧状版の接合を、両弧状板に付設した係合手段の噛み合わせで行った。
【０００９】
第５の手段として、上記第１、第２、第３、又は第４の手段を有し、かつ上記キャップの周壁２を、上記容器体口部を密閉する中栓外周壁４と一体成形した。
【発明の効果】
【００１０】
請求項１記載の構成とすることで、図１のように開蓋状態でキャップを成形した後、閉蓋して第１弧状板19上へ第２弧状板21を載置し、それ等両弧状板を離脱不能に接合させて該キャップを容器体口頸部へ嵌合させ、開蓋に際しては上記両弧状版の各左右両側を共に破断させて行えばよく、封緘機構付きキャップの形成およびその開封を容易に行うことが出来る。
【００１１】
請求項２のようにすることで摘み部20を利用して両弧状板の破断除去が容易となる。
【００１２】
請求項３記載のようにすることで、上記封緘を確実とすることが出来る。                
【００１３】
請求項４のようにすることで、上記封緘を閉蓋するだけで行うことができる。
【００１４】
請求項５のようにすることで、中栓もキャップと一体成形できる便利がある。        
【発明を実施するための最良の形態】
【００１５】
まず図１から図６が示す第１実施形態について説明すると、1 は公知のプルリング付き中栓と一体成形したキャップ本体で、該本体は、周壁２下端から、複数箇所でほぼ等間隔に連結子３で連結させて中栓外周壁４を周壁２内方へ起立させ、外周壁上端からは下内方へ容器体口頸部内面へ嵌合させるシール筒５を垂下し、該シール筒下端内方から上端部を上外方へ拡開するノズル６を起立すると共に該ノズルの下部内面へ横設した底板７外周部へ溝８を周設することで該溝上方底板部分を弱化部として該弱化部が囲む底板部分を除去板部とし、又該除去板部外周一部から連結棒９を起立させて、該起立棒上端へプルリング10を横設させている。
【００１６】
11は周壁２上面を開閉自在に閉塞する蓋体で、該蓋体は頂板12外周から筒13を垂下し、図示例にあっては頂板12から既述ノズル６内面へ水密に嵌合させるシール筒13a を垂下する。尚筒の下端部内面へ凹部14を周設して、該凹部内へ中栓外周壁４の上端から起立した係合筒15を嵌合させている。
【００１７】
上記周壁２と蓋体の筒13とは各後部（図右方）上端と下端とをヒンジ16で連結させており、又筒13の前部下端からは開閉蓋用の指掛け突条17を前方突出させている。
【００１８】
上記周壁２前部の上部外面へは図２が示すように左右両部を破断可能に連結18させて、第１弧状板19を横設する。その連結は図示のように第１弧状板の左右両部後面から突部を突出させ、これ等突部先端を弱化部として周壁２外面へ連続させればよい。その弱化部よりも外方側の第１弧状板部分は、該第１弧状板破断用の摘み部20としている。両弱化部間の第１弧状板部分と、該部分と対向する周壁前面間には、指掛け突条17の前後方向巾とほぼ同一の間隙を設けている。
【００１９】
又指掛け突条17前面を覆う状態に第２弧状板21を横設し、該第２弧状板21の左右両端部後部を、指掛け突条左右両端部の外方へ、図２が示すように破断可能に連結する。
【００２０】
上記第１弧状部19と第２弧状板21とは図５が示すように閉蓋状態において第１弧状板上面へ第２弧状板21が載置されるよう設け、それ等両弧状板を例えば超音波接着することで離脱不能に接合する。                    
【００２１】
上記状態でキャップを、中栓外周壁４とシール筒５との間へ容器体口頸部を嵌合させることで嵌合させる。            
【００２２】
上記状態では第１弧状板19と第２弧状板21とが離脱不能に接合させてあるため、又両弧状板の左右両部は周壁２および筒13へ破断可能に連結させてあるため開蓋できない。開蓋の際は上記摘み部20を引くことで両弧状板を共に破断した後、指掛け突条17押上げにより開蓋し、プルリング10上方引上げにより溝８が囲む底板の除去板部分除去により開口させ、容器体内液体を注出させ、該注出後に閉蓋する。
【００２３】
既述両弧状部の接合は、図７が示す第２実施形態の場合のように、第１弧状板19の内方に、第３弧状板22を設けてその第３弧状板両端を第１弧状板19の両端部内面へ連結させておき、又第２弧状板21の下面からは上記第３弧状板の上端前縁へ横設した係合突条23下縁へ係合させるフック24を垂下させ、閉蓋によりフック24が係合突条23下縁へ係合するよう設けてもよい。
【００２４】
尚該第２実施形態のその他の部分は第１実施形態と同じであり、同一符号を付することで説明を省略する。
【００２５】
上記各実施形態にあっては、プルリング付き中栓とキャップとを一体成形した例について説明したが、周壁２と中栓外周壁とを兼用させて一体化し、又中栓の頂板中央部には透孔を穿設して、蓋体頂板から垂下させた栓が蓋体開閉の際にその透孔から抜出し、又嵌合してその透孔を開閉するよう設けてもよい。更に中栓を有しないキャップであってもよい。
【図面の簡単な説明】
【００２６】
【図１】開蓋状態で示す本発明キャップの縦断面図である。
【図２】図１キャップの平面図である。
【図３】図１キャップを前方からみた半断面図である。
【図４】図１キャップを後方からみた半断面図である。
【図５】図１キャップを閉蓋状態でみた縦断面図である。
【図６】図５キャップの平面図である。
【図７】本発明第２実施形態を開蓋状態で示す断面図である。
【符号の説明】
【００２７】
１  キャップ本体                    ２  周壁
11  蓋体                            12  頂板
13  筒                              13a シール筒
14  凹部                            15  係合筒
16  ヒンジ                          17  指掛け突条
18  連結                            19  第１弧状板
20  摘み部                          21  第２弧状板
22  第３弧状板                      23  係合突条
24  フック
【図１】
2006151476.tif 000003
【図２】
2006151476.tif 000004
【図３】
2006151476.tif 000005
【図４】
2006151476.tif 000006
【図５】
2006151476.tif 000007
【図６】
2006151476.tif 000008
【図７】
2006151476.tif 000009